(57)【要約】      （修正有）【課題】レールを簡単に作ることができるレール玩具を低い価格で提供する。【解決手段】複数の位置決め用の穴５を有する支持板２と、位置決め用の穴５によって支持板２の上で位置決めされてレール３および走行路１７を形成する第１〜第６のレール部材１１〜１６と、走行路１７の上をレール３に沿って走行する走行体４とを備える。第１〜第５のレール部材１１〜１５は、支持板２に重ねられて走行路１７の一部を構成する板部と、板部の下面に凸設されて位置決め用の穴５に嵌合する嵌合部と、板部の上面に凸設されてレール３の一部を構成するレール部２３〜２６、３２とを有している。【選択図】図１
0003227358.tif 000002
【実用新案登録請求の範囲】
【請求項１】
上方に向けて開口する複数の位置決め用の穴が縦方向と横方向とにそれぞれ一定の間隔をおいて並ぶように形成された少なくとも１枚の支持板と、
前記位置決め用の穴によって前記支持板の上で位置決めされ、前記支持板の上に走行路およびレールを形成する複数のレール部材と、
前記走行路で転動する左右一対の車輪が前部と後部とにそれぞれ設けられ、前記左右一対の車輪が前記レールの両側方で回転して前記走行路の上を前記レールに沿って走行する走行体とを備え、
前記レール部材は、
前記支持板に重ねられて前記走行路の一部を構成する板部と、
前記板部の下面に凸設されて前記位置決め用の穴に嵌合する嵌合部と、
前記板部の上面に凸設されて前記レールの一部を構成するレール部とを有していることを特徴とするレール玩具。
【請求項２】
請求項１記載のレール玩具において、
前記支持板の少なくとも上面には絵柄が印刷され、
前記レール部材は、透明な材料によって形成されていることを特徴とするレール玩具。
【請求項３】
請求項１または請求項２記載のレール玩具において、
前記位置決め用の穴と、前記板部と、前記嵌合部とは、それぞれ上下方向から見て正方形で、
前記嵌合部は、上下方向から見て前記板部の中央部に位置付けられていることを特徴とするレール玩具。
【請求項４】
請求項１〜請求項３のいずれか一つに記載のレール玩具において、
前記複数のレール部材のうち少なくとも一つの前記レール部材は、他の前記レール部材より長い板部およびレール部と、少なくとも二つの前記嵌合部とを備えた長いレール部材で、
２枚の前記支持板が前記縦方向または前記横方向に並ベられ、
これら２枚の前記支持板のうちの一方の前記支持板の前記位置決め用の穴と、他方の前記支持板の前記位置決め用の穴とに、前記長いレール部材の前記嵌合部が嵌合し、これら２枚の前記支持板が前記長いレール部材を介して互いに連結されていることを特徴とするレール玩具。
【請求項５】
請求項１〜請求項４のいずれか一つに記載のレール玩具において、
前記支持板の前記位置決め用の穴は、前記支持板を上下方向に貫通する貫通穴であることを特徴とするレール玩具。
【考案の詳細な説明】
【技術分野】
【０００１】
本考案は、走行体の走行方向を規定するレールを備えたレール玩具に関する。
【背景技術】
【０００２】
従来、走行体の走行方向を規定するレールを任意の形状に形成して遊ぶ玩具（以下、この種の玩具を単にレール玩具という）としては、例えば特許文献１や特許文献２に記載されているものがある。特許文献１に開示されたレール玩具は、走行体の走行方向を規定するレール溝が形成された複数のパズルピースを備えている。パズルピースは、上方から見て四角形に形成され、四辺のそれぞれに掛合凸部と掛合凹部とが形成されている。このため、隣り合うパズルピースどうしは、掛合凸部と掛合凹部とを介して互いに連結されている。このレール玩具によれば、複数のパズルピースを組み合わせることによって、複数のレール溝が接続されて一つのレールが形成される。
【０００３】
特許文献２に開示されたレール玩具は、永久磁石のシートによって形成された複数のレール部材と、これらのレール部材が磁気によって吸着される板部材とを備えている。レール部材は、直線状に形成されたものと、湾曲した形状に形成されたものとが用いられている。このレール玩具によれば、レール部材を板部材に磁気によって貼り付けることにより、複数のレール部材が接続されて一つのレールが形成される。
【先行技術文献】
【特許文献】
【０００４】
【特許文献１】実公平６−２２３９１号公報
【特許文献２】実用新案登録第３１６８２０８号公報
【考案の概要】
【考案が解決しようとする課題】
【０００５】
特許文献１に記載されているレール玩具では、パズルピースどうしが掛合凸部と掛合凹部とによって連結される構造であるから、パズルピースの着脱作業が煩わしく、簡単にレールを作ることができないという問題があった。このような不具合は、特許文献２に記載されているレール玩具のように、永久磁石製の複数のレール部材を板部材に貼り付ける構成を採ることによって、ある程度は解消することができる。
【０００６】
しかしながら、特許文献２に示すレール玩具では、全てのレール部材を永久磁石によって形成しなければならないし、レール部材が磁気によって吸着されるように、板部材に磁性材製の板を埋設しなければならない。このため、このレール玩具は、製造費用が高くなってしまい、高価なレール玩具になってしまう。
【０００７】
本考案の目的は、レールを簡単に作ることができるレール玩具を低い価格で提供することである。
【課題を解決するための手段】
【０００８】
この目的を達成するために本考案に係るレール玩具は、上方に向けて開口する複数の位置決め用の穴が縦方向と横方向とにそれぞれ一定の間隔をおいて並ぶように形成された少なくとも１枚の支持板と、前記位置決め用の穴によって前記支持板の上で位置決めされ、前記支持板の上に走行路およびレールを形成する複数のレール部材と、前記走行路で転動する左右一対の車輪が前部と後部とにそれぞれ設けられ、前記左右一対の車輪が前記レールの両側方で回転して前記走行路の上を前記レールに沿って走行する走行体とを備え、前記レール部材は、前記支持板に重ねられて前記走行路の一部を構成する板部と、前記板部の下面に凸設されて前記位置決め用の穴に嵌合する嵌合部と、前記板部の上面に凸設されて前記レールの一部を構成するレール部とを有しているものである。
【０００９】
本考案は、前記レール玩具において、前記支持板の少なくとも上面には絵柄が印刷され、前記レール部材は、透明な材料によって形成されていてもよい。
【００１０】
本考案は、前記レール玩具において、前記位置決め用の穴と、前記板部と、前記嵌合部とは、それぞれ上下方向から見て正方形で、前記嵌合部は、上下方向から見て前記板部の中央部に位置付けられていてもよい。
【００１１】
本考案は、前記レール玩具において、前記複数のレール部材のうち少なくとも一つの前記レール部材は、他の前記レール部材より長い板部およびレール部と、少なくとも二つの前記嵌合部とを備えた長いレール部材で、２枚の前記支持板が前記縦方向または前記横方向に並ベられ、これら２枚の前記支持板のうちの一方の前記支持板の前記位置決め用の穴と、他方の前記支持板の前記位置決め用の穴とに、前記長いレール部材の前記嵌合部が嵌合し、これら２枚の前記支持板が前記長いレール部材を介して互いに連結されていてもよい。
【００１２】
本考案は、前記レール玩具において、前記支持板の前記位置決め用の穴は、前記支持板を上下方向に貫通する貫通穴であってもよい。
【考案の効果】
【００１３】
本考案においては、複数のレール部材を支持板上で並べることによってレールを作ることができる。個々のレール部材は、板部を支持板に重ねて嵌合部を支持板の位置決め用の穴に嵌合させることによって、支持板に取付けられる。この取付けを行うにあたっては、隣り合うレール部材どうしを連結する必要はない。
レール部材は、板部に嵌合部とレール部とを突設した単純な形状の部品であるから、樹脂材料からなる成型品として容易に製造することができる。
したがって、レールを簡単に作ることができるレール玩具を低い価格で提供することができる。
【図面の簡単な説明】
【００１４】
【図１】図１は、本考案に係るレール玩具の斜視図である。
【図２】図２は、支持板の平面図である。
【図３】図３は、支持板の一部を拡大して示す斜視図である。
【図４】図４は、支持板の一部と切り離した板の斜視図である。
【図５】図５は、第１のレール部材を示す図である。
【図６】図６は、第２のレール部材の平面図である。
【図７】図７は、第３のレール部材の平面図である。
【図８】図８は、第４のレール部材の平面図である。
【図９】図９は、第５のレール部材を示す図である。
【図１０】図１０は、第６のレール部材の平面図である。
【図１１】図１１は、第２〜第４のレール部材を支持板に取付けた状態を示す平面図である。
【図１２】図１２は、２枚の支持板が第５のレール部材によって連結されている状態を示す斜視図である。
【図１３】図１３は、走行体を示す図である。
【考案を実施するための形態】
【００１５】
以下、本考案に係るレール玩具の一実施の形態を図１〜図１３を参照して詳細に説明する。
図１に示すレール玩具１は、支持板２の上にレール３を作り、このレール３に沿わせて走行体４を走らせて遊ぶ玩具である。
【００１６】
（支持板の説明）
支持板２は、図２に示すように、平面視において四角形の板状に形成されている。この実施の形態による支持板２は、厚紙によって形成されている。支持板２には、その上面２ａに開口する複数の位置決め用の穴５が形成されている。上面２ａには背景となる絵柄６が印刷されている。なお、支持板２の下面には、上面２ａと同一の絵柄６や、上面２ａとは異なる絵柄を印刷することができる。
【００１７】
位置決め用の穴５は、支持板２を上下方向に貫通する貫通穴である。なお、位置決め用の穴５は、図示してはいないが、支持板２を貫通しない凹部として形成することもできる。この位置決め用の穴５の開口形状は、角が丸められた正方形である。また、この位置決め用の穴５は、支持板２の縦方向（図２においては上下方向）と横方向（図２においては左右方向）とにそれぞれ一定の間隔をおいて並ぶように形成されている。この実施の形態においては、縦方向の４箇所と横方向の４箇所とにそれぞれ位置決め用の穴５が形成されている。
【００１８】
位置決め用の穴５は、支持板２を製造したときには図３に示すように形成されていない。図３に示す支持板２には、位置決め用の穴５の輪郭となる位置にスリット７が形成されている。位置決め用の穴５は、使用者がスリット７の内側に位置する四角形の板８を支持板２から切り離すことによって形成される（図４参照）。このときに切り離される四角形の板８には、例えばキャラクターの絵柄９を印刷しておくことができる。
【００１９】
（レールの説明）
図１に示すレール３は、６種類のレール部材（第１〜第６のレール部材１１〜１６）を組み合わせて形成されている。これらの第１〜第６のレール部材１１〜１６は、支持板２の位置決め用の穴５によって支持板２の上で位置決めされ、支持板２の上にレール３および走行路１７を形成する。なお、第６のレール部材１６は、詳細は後述するが、レール３を形成する機能は有していない。
【００２０】
第１〜第６のレール部材１１〜１６は、それぞれ透明なプラスチック材料によって形成されており、それぞれ第１〜第３の機能部を有している。ここでは第１〜第３の機能部について図５を参照して説明する。図５には第１のレール部材１１が図示されている。図５（Ａ）は平面図、図５（Ｂ）は正面図、図５（Ｃ）は（Ａ）図におけるV−V線断面図、図５（Ｄ）は底面図である。
【００２１】
第１の機能部は、支持板２に重ねられて走行路１７の一部を構成する板部２１である。板部２１は、図５（Ａ）に示すように、上方から見て角が丸められた正方形状に形成されている。
第２の機能部は、図５（Ｂ），（Ｃ）に示すように板部２１の下面に凸設されて位置決め用の穴５に嵌合する嵌合部２２である。この嵌合部２２は、図５（Ｄ）に示すように、下方から見てロ字状の突起によって構成されている。また、嵌合部２２は、上下方向から見て板部２１の中央部に設けられ、正方形の板部２１と相似形となるように形成されている。このため、嵌合部２２が支持板２の位置決め用の穴５に嵌合した状態においては、位置決め用の穴５は、上方から見て板部２１の中央部に位置付けられる。
これらの板部２１と嵌合部２２は、第１〜第６のレール部材１１〜１６にそれぞれ設けられている。
【００２２】
第３の機能部は、第１〜第５のレール部材１１〜１５に形成されたレール部２３〜２６，３２と、第６のレール部材１６に形成された穴３３である。
第１のレール部材１１は、図５（Ａ）に示すように、第３の機能部として、直線状に形成されたレール部２３を有している。
第２のレール部材１２は、図６に示すように、第３の機能部として、円弧状に形成されたレール部２４を有している。このレール部２４は、図１１に示すように、四つの第２のレール部材１２を縦方向と横方向とにそれぞれ二つずつ隣り合うように並べることによって、円形のレール３ａが実現されるように形成されている。
【００２３】
第３のレール部材１３と第４のレール部材１４は、図７，８に示すように、第３の機能部として、円弧状に形成されたレール部２５，２６を有している。第３のレール部材１３のレール部２５と、第４のレール部材１４のレール部２６とは、円弧が互いに逆方向に湾曲するように形成されている。
第３のレール部材１３のレール部２５は、図７において板部２１の左下の角部分から右側の辺の中間部まで延びている。
【００２４】
第４のレール部材１４のレール部２６は、図８において板部２１の左上の角部分から右側の辺の中間部まで延びている。これらの第３および第４のレール部材１３，１４のレール部２５，２６は、図１１に示すように、第２のレール部材１２のレール部２４と較べて円弧の曲率半径が大きくなるように形成されている。この実施の形態によるレール部２５，２６は、支持板２の中央部で縦横に二つずつ並ぶ４個の他のレール部材（図１１においては第２のレール部材１２）を囲むように第３および第４のレール部材１３，１４を並べることによって、上述したレール３ａより大きい円形のレール３ｂが実現されるように形成されている。
【００２５】
第５のレール部材１５は、図９（Ａ），（Ｂ）に示すように、他のレール部材とは異なり、二つの第１のレール部材１１を並べて結合させたような部材である。図９（Ａ）は第５のレール部材１５の平面図、図９（Ｂ）は第５のレール部材の底面図である。この第５のレール部材１５は、板部２１の２倍の長さの板部３１と、二つの嵌合部２２と、第３の機能部としての直線状のレール部３２とを備えた長いレール部材である。レール部３２の長さは、レール部２３の２倍の長さである。
【００２６】
この第５のレール部材１５は、縦方向または横方向に並ぶ２枚の支持板２に跨がるように取付けることができる。すなわち、図１２に示すように、縦方向に並ぶ２枚の支持板２のうちの上側に位置する一方の支持板２の位置決め用の穴５（図示せず）と、下側に位置する他方の支持板２の位置決め用の穴５（図示せず）とに、第５のレール部材１５（長いレール部材）の嵌合部２２（図示せず）が嵌合されている。このように２枚の支持板２に第５のレール部材１５が跨がるように取付けられることにより、これら２枚の支持板２が第５のレール部材１５（長いレール部材）を介して互いに連結される。
【００２７】
第６のレール部材１６は、図１０に示すように、第３の機能部として、板部２１を上下方向に貫通する穴３３を有している。この穴３３は、支持板２から切り離された四角形の板８を嵌め込むことができる形状に形成されている。この穴に板８を嵌め込むことにより、図１に示すように、この板８が板部２１に起立した状態で支持される。このため、この板８を第６のレール部材１６に立てておくことにより、この板８の近傍を走行体４が走行するようになる。
【００２８】
（走行体の説明）  
この実施の形態による走行体４は、図１３（Ａ）〜（Ｃ）に示すように、箱状の車体４１と、車体４１の前部４１ａに回転自在に設けられた左右一対の前輪４２と、車体４１の内部に設けられた駆動ユニット４３と、駆動ユニット４３に支持されて車体４１の後部４１ｂに設けられた左右一対の後輪４４とを備えている。図１３（Ａ）は走行体４の正面図、図１３（Ｂ）は走行体４の平面図、図１３（Ｃ）は走行体４の側面図である。
【００２９】
この実施の形態においては、左右一対の前輪４２と左右一対の後輪４４とが本考案でいう「左右一対の車輪」に相当する。前輪４２は、後輪４４より小径に形成され、車体４１に対して左右方向に傾くことがないように車体４１に支持されている。前輪４２の外径は、第１〜第５のレール部材１１〜１５のレール部２３〜２６，３２を乗り越え難くなるような外径である。
駆動ユニット４３は、詳細には図示してはいないが、例えば、ぜんまいばねを動力源とするぜんまい駆動式のものや、電動モータを動力源とする電動式のもので、後輪４４を駆動して回転させる。なお、走行体４は、駆動ユニット４３を備えていなくてもよい。
【００３０】
左右一対の前輪４２と左右一対の後輪４４は、図１３（Ａ）に示すように、レール３（レール部２３〜２６，３２）の両側方に位置付けられて第１〜第６のレール部材１１〜１６の板部２１の上で転動する。前輪４２は、走行時に第１〜第５のレール部材１１〜１５のレール部２３〜２６，３２を容易には乗り越えることができない。このため、左右一対の前輪４２および後輪４４がレール３の両側方で回転することにより、走行体４がレール３に沿って走行することになる。
【００３１】
このように構成されたレール玩具１においては、複数の第１〜第６のレール部材１１〜１６を支持板２の上で並べることによって、レール３と走行路１７とが形成される。
第１〜第６のレール部材１１〜１６は、板部２１を支持板２に重ねて嵌合部２２を支持板２の位置決め用の穴５に嵌合させることによって、支持板２に取付けられる。この取付けを行うにあたっては、隣り合うレール部材どうしを連結する必要はない。
【００３２】
第１〜第５のレール部材１１〜１５は、板部２１、３１に嵌合部２２とレール部２３〜２６、３２とを突設した単純な形状の部品であり、第６のレール部材１６は、板部２１に嵌合部２２を突設するとともに穴３３を形成した単純な形状の部品であるから、樹脂材料からなる成型品として容易に製造することができる。
したがって、レール３を簡単に作ることができるレール玩具を低い価格で提供することができる。
【００３３】
この実施の形態による支持板２の上面２ａには絵柄６が印刷されている。第１〜第６のレール部材１１〜１６は、透明な材料によって形成されている。このため、第１〜第６のレール部材１１〜１６の板部２１を透かして支持板２の絵柄６を見ることができる。このようなレール玩具１によれば、あたかも走行体４が絵柄６の上を走行しているような印象を使用者に与えることができる。
【００３４】
この実施の形態による支持板２の位置決め用の穴５と、第１〜第６のレール部材１１〜１６の板部２１および嵌合部２２とは、それぞれ上下方向から見て正方形である。嵌合部２２は、上下方向から見て板部２１の中央に位置付けられている。このため、第１〜第６のレール部材１１〜１６の嵌合部２２を支持板２の位置決め用の穴５に簡単に嵌め込むことができるから、第１〜第６のレール部材１１〜１６を支持板２に容易に取付けることができる。
【００３５】
この実施の形態による第５のレール部材１５は、他の第１〜第４のレール部材１１〜１４の板部２１およびレール部２３〜２６より長い板部３１およびレール部３２と、二つの嵌合部２２とを備えた長いレール部材で、２枚の支持板２が縦方向または横方向に並ベられた場合にこれらの支持板２に跨がるように取付けることができる。すなわち、２枚の支持板２のうちの一方の支持板２の位置決め用の穴５と、他方の支持板２の位置決め用の穴５とに、第５のレール部材１５（長いレール部材）の嵌合部２２が嵌合することにより、これら２枚の支持板２が第５のレール部材１５（長いレール部材）を介して互いに連結される。
このため、複数の支持板２を跨ぐようにレール３を作ることができるから、レール３の形状の自由度が高いレール玩具を低い価格で提供することができる。
【００３６】
この実施の形態による支持板２の位置決め用の穴５は、支持板２を上下方向に貫通する貫通穴である。このため、使用者が指を下方から貫通穴に通し、指で第１〜第６のレール部材１１〜１６を支持板２から押し上げることによって、第１〜第６のレール部材１１〜１６を支持板２から簡単に取外すことができる。
【符号の説明】
【００３７】
１…レール玩具、２…支持板、３…レール、４…走行体、５…位置決め用の穴、１１…第１のレール部材、１２…第２のレール部材、１３…第３のレール部材、１４…第４のレール部材、１５…第５のレール部材（長いレール部材）、１６…第６のレール部材、１７…走行路、２１，３１…板部、２２…嵌合部、２３〜２６，３２…レール部、４２…前輪（車輪）、４４…後輪（車輪）。
【図１】
0003227358.tif 000003
【図２】
0003227358.tif 000004
【図３】
0003227358.tif 000005
【図４】
0003227358.tif 000006
【図５】
0003227358.tif 000007
【図６】
0003227358.tif 000008
【図７】
0003227358.tif 000009
【図８】
0003227358.tif 000010
【図９】
0003227358.tif 000011
【図１０】
0003227358.tif 000012
【図１１】
0003227358.tif 000013
【図１２】
0003227358.tif 000014
【図１３】
0003227358.tif 000015